(57)【要約】【課題】  意匠性を損なうことなく、立設させる携帯情報端末の傾斜角をより大きな範囲で変更することが可能な携帯情報端末用カバーを提供する。【解決手段】  背面被覆部４は、第１の状態に折り曲げた前面被覆部２によって背面側から支持されて立設される第１の姿勢と、第２の状態に折り曲げた前面被覆部２によって背面側から支持されて立設される第２の姿勢であって、上端４ａが第１の姿勢のときよりも背面側に位置する第２の姿勢と、をとり得るものであり、第１の姿勢は、第２の位置において前面被覆部２がフラップ部７の第１の上側片７１に固定されることで維持され、第２の姿勢は、第２の位置において前面被覆部２がフラップ部７の上方から下方に回り込んでフラップ部７の第２の下側片７２に固定されることで維持される。【選択図】  図７
2015050554.tif 000002
【特許請求の範囲】
【請求項１】
携帯タブレット型の携帯情報端末を収納するための携帯情報端末用カバーであって、
前記携帯情報端末を保持するとともに、前記携帯情報端末の背面側を被覆する背面被覆部と、
少なくとも第１の状態と第２の状態とに折り曲げ可能に構成された前面被覆部であって、前記携帯情報端末の前面側を被覆する第１の位置から、前記背面被覆部の背面側の第２の位置まで、前記背面被覆部の上端を中心として回動自在に設けられる前面被覆部と、
一端が前記背面被覆部に対し固定されるとともに、他端が前記背面被覆部に対し着脱自在に設けられるフラップ部と、を備え、
前記フラップ部は、その他端が前記背面被覆部から脱離した状態で、その上面側に第１の固定部を有する一方、その下面側に第２の固定部を有し、
前記背面被覆部は、
前記第１の状態に折り曲げた前面被覆部によって背面側から支持されて立設される第１の姿勢と、
前記第２の状態に折り曲げた前面被覆部によって背面側から支持されて立設される第２の姿勢であって、前記上端が前記第１の姿勢のときよりも背面側に位置する第２の姿勢と、をとり得るものであり、
前記第１の姿勢は、前記第２の位置において前記前面被覆部が前記フラップ部の前記第１の固定部に固定されることで維持され、
前記第２の姿勢は、前記第２の位置において前記前面被覆部の一部が前記フラップ部の上方から下方に回り込んで前記フラップ部の前記第２の固定部に固定されることで維持される携帯情報端末用カバー。
【請求項２】
前記背面被覆部の背面側に凹部が形成され、
前記フラップ部は、その他端が前記背面被覆部の背面側に着接することで、その略全体が前記凹部内に収納されるように構成される、請求項１に記載の携帯情報端末用カバー。
【発明の詳細な説明】
【技術分野】
【０００１】
本発明は、タブレット型の携帯情報端末を収納するための携帯情報端末用カバーに関する。
【背景技術】
【０００２】
近年、タブレットＰＣ（パーソナルコンピュータ）と呼ばれる携帯情報端末が広く普及している。通信機能やカメラ機能等、多様な機能を備えた携帯情報端末は、前面に設けられる液晶画面に使用者が直接触れることで、直観的な操作を可能としている。その外形は薄板状のため携帯性に優れており、ビジネスのみならず、教育、娯楽など、様々なシーンで活用されている。また、携帯情報端末を被覆して衝撃から保護するカバーも広く普及している（例えば下記特許文献１参照）。
【０００３】
下記特許文献１には、カバーを変形させ、そのカバーによって携帯情報端末を所定の傾斜角をもって立設させることが開示されている。立設された携帯情報端末の前面側には、携帯時に液晶画面を被覆するカバーの正面板部が配置されており、この正面板部の上面には複数の凹部が形成されている。使用者は、携帯情報端末を保持する背面板部の下端を、この複数の凹部のいずれか１つに対し選択的に固定することにより、携帯情報端末の傾斜角を変更することが可能である。
【先行技術文献】
【特許文献】
【０００４】
【特許文献１】特開２０１３−１１９７８号公報
【発明の概要】
【発明が解決しようとする課題】
【０００５】
しかしながら、上記特許文献１に開示されたカバーでは、立設された携帯情報端末の前面側にカバーの正面板部が配置され、しかも、正面板部の上面には凹部が複数形成されている。このため、携帯情報端末の前面側に居る使用者からこれらが視認され、意匠性を損なうという課題があった。
【０００６】
また、立設させる携帯情報端末の傾斜角を、より大きな範囲で変更可能とするためには、正面板部の凹部も広い範囲に形成する必要がある。したがって、この場合は正面板部を大型化する必要があり、意匠性がさらに損なわれるという課題があった。
【０００７】
本発明はこのような課題に鑑みてなされたものであり、その目的は、意匠性を損なうことなく、立設させる携帯情報端末の傾斜角をより大きな範囲で変更することが可能な携帯情報端末用カバーを提供することにある。
【課題を解決するための手段】
【０００８】
上記課題を解決するために、本発明に係る携帯情報端末用カバーは、タブレット型の携帯情報端末を収納するための携帯情報端末用カバーであって、前記携帯情報端末を保持するとともに、前記携帯情報端末の背面側を被覆する背面被覆部と、少なくとも第１の状態と第２の状態とに折り曲げ可能に構成された前面被覆部であって、前記携帯情報端末の前面側を被覆する第１の位置から、前記背面被覆部の背面側の第２の位置まで、前記背面被覆部の上端を中心として回動自在に設けられる前面被覆部と、一端が前記背面被覆部に対し固定されるとともに、他端が前記背面被覆部に対し着脱自在に設けられるフラップ部と、を備え、前記フラップ部は、その他端が前記背面被覆部から脱離した状態で、その上面側に第１の固定部を有する一方、その下面側に第２の固定部を有し、前記背面被覆部は、前記第１の状態に折り曲げた前面被覆部によって背面側から支持されて立設される第１の姿勢と、前記第２の状態に折り曲げた前面被覆部によって背面側から支持される第２の姿勢であって、前記上端が前記第１の姿勢のときよりも背面側に位置する第２の姿勢と、をとり得るものであり、前記第１の姿勢は、前記第２の位置において前記前面被覆部が前記フラップ部の前記第１の固定部に固定されることで維持され、前記第２の姿勢は、前記第２の位置において前記前面被覆部の一部が前記フラップ部の上方から下方に回り込んで前記フラップ部の前記第２の固定部に固定されることで維持される。
【０００９】
本発明によれば、第１の姿勢及び第２の姿勢のいずれの場合にも、背面被覆部を支持して立設させる前面被覆部は、背面被覆部の背面側である第２の位置において固定される。したがって、携帯情報端末の使用時、その前面側に居る使用者からは、固定部分は携帯情報端末によって覆われて視認できないため、意匠性が損なわれることを防止することができる。
【００１０】
さらに、第２の姿勢では、前面被覆部の一部がフラップ部の上方から下方に回り込むため、前面被覆部は、フラップ部の上方に残る他部によって背面被覆部を背面側から支持することになる。すなわち、第１の姿勢に比べて背面被覆部を背面側から支持する部分が小さくなるため、第１の姿勢に比べて水平に近い傾斜角となるよう背面被覆部を支持することとなる。このように背面被覆部が第１の姿勢及び第２の姿勢を取りうるため、背面被覆部によって保持されて立設される携帯情報端末も、その傾斜角をより大きな範囲で変更することが可能となる。
【００１１】
また、本発明に係る携帯情報端末用カバーでは、前記背面被覆部の背面側に凹部が形成され、前記フラップ部は、その他端が前記背面被覆部の背面側に着接することで、その略全体が前記凹部内に収納されるように構成されることも好ましい。
【００１２】
この好ましい態様では、フラップ部を携帯情報端末の立設に使用しながらも、携帯時等はフラップ部を背面被覆部の凹部内に収納することで、背面被覆部からの突出を抑制することができる。これにより、携帯情報端末用カバーを携帯時にフラップ部が邪魔になることを軽減することができる。また、フラップ部が目立ち難くなるため、フラップ部により意匠性が損なわれることを抑制することができる。
【図面の簡単な説明】
【００１３】
【図１】本発明の実施形態に係る携帯情報端末用のカバーを閉じた状態を表す斜視図である。
【図２】図１のカバーを開いた状態を表す正面図である。
【図３】図１のカバーを開いた状態を表す背面図である。
【図４】図１のカバーを開いた状態を表す斜視図である。
【図５】図４のＡ−Ａ断面における断面図である。
【図６】図１のカバーを開いて背面被覆部を第１の姿勢にした状態を表す斜視図である。
【図７】図１のカバーを開いて背面被覆部を第１の姿勢にした状態を表す側面図である。
【図８】図１のカバーを開いて背面被覆部を第２の姿勢にした状態を表す斜視図である。
【図９】図１のカバーを開いて背面被覆部を第２の姿勢にした状態を表す側面図である。
【発明を実施するための形態】
【００１４】
以下、添付図面を参照しながら本発明の実施形態について説明する。
【００１５】
まず、図１乃至３を参照して、実施形態に係る携帯情報端末用カバー１（以下、「カバー１」とする。）の概要を説明する。図１（Ａ）及び（Ｂ）は、カバー１の下方及び上方からの斜視図を表している。図１（Ａ）及び図１（Ｂ）に表すように、カバー１は、前面被覆部２と、背面被覆部４と、上面被覆部３と、を有している。これら被覆部２、３、４は、いずれも、硬質の素材で形成された板状部材である。なお、硬質の素材とは、必ずしも可撓性を有しないという意味ではなく、例えば、人が大きな力を加えた場合に曲げが生じる程度の可撓性を有するものであってもよい。
【００１６】
前面被覆部２は、第１被覆部２１及び第２被覆部２２から成り、第１被覆部２１は第２被覆部２２よりも上下方向寸法が大きい。第１被覆部２１及び第２被覆部２２は、それらと比べて薄肉に形成されたヒンジ２３によって連結されている。第１被覆部２１及び第２被覆部２２は、このヒンジ２３において、互いに対して回動させることができるとともに、後述する第１の状態（図７参照）と第２の状態（図９参照）とに折り曲げることができる。図１に表すようにヒンジ２３が開いた状態では、第１被覆部２１及び第２被覆部２２は全体として一枚の板状を呈する。一枚の板状となった第１被覆部２１及び第２被覆部２２は、それぞれタブレット型の携帯情報端末８（図６参照）の前面側の下部及び上部を全面的に被覆し、衝撃等から保護する。
【００１７】
背面被覆部４は、携帯情報端末８の背面に当接してその背面全域を被覆する。また、背面被覆部４は、その前面側に設けられた保持部５によって携帯情報端末８を保持する。保持部５は、携帯情報端末８の下面、右側面及び左側面のそれぞれの少なくとも一部を覆う下面被覆部５ａ、右側面被覆部５ｂ（図１（Ａ）参照）及び左側面被覆部５ｃ（図１（Ｂ）参照）を有している。また、保持部５は、携帯情報端末８の前面外縁を略コ字状に被覆する板状の外縁被覆部５ｄ（図２参照）を有している。外縁被覆部５ｄは、背面被覆部４の前面に間隙を存して対向するように、背面被覆部４の周縁の一部から立ち上がった下面被覆部５ａ、右側面被覆部５ｂ及び左側面被覆部５ｃに支持されている。これにより、保持部５は、外縁被覆部５ｄと背面被覆部４との間に携帯情報端末８をその内部に収納保持できるような有底のポケットを構成している。なお、右側面被覆部５ｂに開設した複数の孔５ｂ１は、保持する携帯情報端末８のスイッチ類や記録用メモリの挿入口を露出させるものであり、外縁被覆部５ｄに開設した孔５ｄ１は、携帯情報端末８からのイヤホンやマイクなどを挿通させるためのものである。また、背面被覆部４に開設した孔４ｃは、携帯情報端末８の背面側に設けられるカメラレンズを露出させるためのものである。
【００１８】
上面被覆部３は、携帯情報端末８の上面を被覆するとともに、前面被覆部２の上端２ａと背面被覆部４の上端４ａとを連結している。この連結により、上面被覆部３は、背面被覆部４の上端４ａを中心として回動自在となり、前面被覆部２は、その上端２ａを中心として回動自在となる。このため、前面被覆部２は、携帯情報端末８の前面側を被覆する位置（第１の位置）から、背面被覆部４の背面側の位置（第２の位置）まで、背面被覆部４の上端４ａを中心として回動自在となる。この第１の位置では、図１に示すように、前面被覆部２の内面周縁を外縁被覆部５ｄに重ねるようにして、携帯情報端末８の前面側を前面被覆部２で覆うことができる。また、第２の位置では、携帯情報端末８の前面側を外部に開放する。この第２の位置は、一つの位置を意味するのではなく、前面被覆部２が背面被覆部４の背面側に位置すれば足りる。したがって、前面被覆部２の外面を背面被覆部４の背面に広く重ねるような位置はもちろん、図６〜８に示すような前面被覆部２の位置も第２の位置に含まれる。
【００１９】
次に、図３乃至図５を参照して、カバー１のフラップ部７について説明する。
【００２０】
図３に表すように、フラップ部７は、背面被覆部４の背面側に設けられている。フラップ部７は、一端７ａから他端７ｂまで延びる帯状を呈している。フラップ部７の一端７ａは、背面被覆部４の下端４ｂ近傍の中央部に固定される一方、フラップ部７の他端７ｂは、内蔵された磁石７５の磁力により背面被覆部４に着脱自在とされている。また、フラップ部７の他端７ｂにはタブ７４が突設されている。
【００２１】
図４及び図５に表すように、フラップ部７の他端７ｂを背面被覆部４から脱離させた状態で、フラップ部７は、その上面側に上側片７１を、その下面側に下側片７２を有している。上側片７１及び下側片７２は、いずれも弾性を有する素材で板状に形成され、それぞれフラップ部７に片持ち支持されるようにフラップ部７に固定される。これにより、上側片７１及び下側片７２は、固定されていない他の一部をフラップ部７から捲り上げることができるように構成されている。
【００２２】
背面被覆部４の背面側には、フラップ部７の略全体を収納するための凹部４ｄが形成されている。凹部４ｄは、フラップ部７の外形に対応する形状を呈している。また、凹部４ｄ内の上端近傍には、フラップ部７の磁石７５に対応する位置に磁石７６が内蔵されている。凹部４ｄ内にフラップ部７を収納した際、磁石７５、７６の磁力で引き合うことによって、自由状態ではフラップ部７が凹部４ｄから離脱しないように保持される。ただし、この収納状態では、タブ７４が凹部４ｄから外部にはみ出す。このため、使用者はタブ７４を掴んで、磁力に抗してフラップ部７を回動させることで、他端７ｂを背面被覆部４から容易に脱離させることができる。
【００２３】
次に、図６乃至図９を参照して、カバー１のスタンド機能を説明する。
図６及び７は、背面被覆部４を第１の姿勢にした状態を示し、図８及び９は、背面被覆部４を第２の姿勢にした状態を示す。
【００２４】
図６に表すように、携帯情報端末８は、その前面に液晶画面８１とスピーカ８４とを有し、その上面に電源ボタン８２と音量操作ボタン８３とを有している。携帯情報端末８をカバー１に保持した状態では、外縁被覆部５ｄが液晶画面８１及び前面上部のスピーカ８４を被覆しない位置で、携帯情報端末８の前面外縁のうち左右両側部と下部を被覆する。電源ボタン８２及び音量操作ボタン８３は、カバー１を閉じた状態では上面被覆部３によって被覆されるが、カバー１を開いた状態では外部に露出する。
【００２５】
（第１の姿勢：図６及び７に示す状態）
カバー１は、携帯情報端末８を、比較的垂直に近い傾斜角θ１で机Ｄ上に傾斜させて立設させることができる。
第１の姿勢にするには、まずフラップ部７の他端７ｂを背面被覆部４から脱離させ、フラップ部７を机Ｄ上に沿って配置する。
次に、前面被覆部２を背面被覆部４の背面側の位置（第２の位置）に配置するとともに、前面被覆部２をヒンジ２３において背面被覆部４側に凸となる状態（第１の状態）に折り曲げ、前面被覆部２の下端２ｂをフラップ部７上に配置する。
次に、上側片７１の背面被覆部４側の端部を上方に捲り上げ、この捲り上げた上側片７１とフラップ部７との間に前面被覆部２の下端２ｂを挟み込む。上側片７１は、その弾性によりフラップ部７側に復元しようとするため、前面被覆部２の下端２ｂは上側片７１から力を受け、フラップ部７に押さえつけられるようにして固定される。
このように固定した状態で、前面被覆部２のヒンジ２３を背面被覆部４の背面に当接させる。これにより、背面被覆部４は、その下端４ｂが机Ｄによって支持され、その背面がヒンジ２３を介して前面被覆部２の第１被覆部２１によって支持される。さらに、背面被覆部４は、その上端４ａが上面被覆部３を介して前面被覆部２の第２被覆部２２によって支持される。
このように、背面被覆部４は、上端４ａ、下端４ｂ及びその間の計３点において支持されることで、携帯情報端末８を保持した状態で机Ｄ上に立設される。前面被覆部２の第１被覆部２１及び第２被覆部２２で背面被覆部４を支持することで、背面被覆部４の机Ｄに対する傾斜角θ１は例えば７０度前後と、後述する第２の姿勢の場合に比べて垂直に近いものとなる。
【００２６】
（第２の姿勢：図８及び９に示す状態）
また、カバー１は、携帯情報端末８を、比較的水平に近い傾斜角θ２で机Ｄ上に傾斜させて立設させることができる。
第２の姿勢にするには、まずフラップ部７の他端７ｂを背面被覆部４から脱離させ、フラップ部７を机Ｄ上に沿って配置する。
次に、前面被覆部２を背面被覆部４の背面側の位置（第２の位置）に配置するとともに、前面被覆部２をヒンジ２３において背面被覆部４とは反対側に凸となる状態（第２の状態）に折り曲げる。そして、前面被覆部２の第１被覆部２１を、フラップ部７の他端７ｂ側から一端７ａ側に向けてフラップ部７の下方に潜り込ませることで、前面被覆部２をフラップ部７の上方から下方に回り込むように配置する。
次に、下側片７２の端部を下方に捲ることで、フラップ部７と下側片７２との間に隙間を形成し、当該隙間に前面被覆部２の下端２ｂを挟み込む。これにより、前面被覆部２の下端２ｂがフラップ部７の下方において固定される。
前面被覆部２の下端２ｂを固定することで、前面被覆部２の第２被覆部２２が机Ｄ上で略垂直に立設した状態となる。これにより、背面被覆部４は、その下端４ｂが机Ｄによって支持されるとともに、その上端４ａが上面被覆部３を介して前面被覆部２の第２被覆部２２によって支持される。
このように、背面被覆部４は、上端４ａ及び下端４ｂの計２点において支持されることで、携帯情報端末８を保持した状態で机Ｄ上に立設される。前面被覆部２の一部である第２被覆部２２によって背面被覆部４を支持することで、背面被覆部４の机Ｄに対する傾斜角θ２は例えば３０度前後と、第１の姿勢の場合に水平に近いものとなる。
【００２７】
以上説明したカバー１の作用効果について説明する。
カバー１の背面被覆部４は、机Ｄに対する傾斜角が異なる第１の姿勢及び第２の姿勢をとることができる。いずれの場合にも、背面被覆部４を支持して立設させる前面被覆部２は、背面被覆部４の背面側に固定される。したがって、その固定のために携帯情報端末８の前面側の作業スペースが奪われてしまうことがない。また、携帯情報端末８の前面側に居る使用者からは、固定部分は携帯情報端末８によって覆われて視認されないため、意匠性が損なわれることを防止することができる。
【００２８】
さらに、第２の姿勢では、背面被覆部４は、前面被覆部２の一部がフラップ部７の上方から下方に回り込んで下側片７２に固定されることで、前面被覆部２の第２被覆部２２により背面側から支持されて立設される。このため、第２の姿勢では、第１の姿勢に比べて背面被覆部４を背面側から支持する部分が小さい。したがって、第２の姿勢では、第１の姿勢に比べて水平方向に傾斜した状態で背面被覆部を支持することとなる。すなわち、背面被覆部４が第１の姿勢及び第２の姿勢を取りうるため、背面被覆部４によって保持されて立設される携帯情報端末８も、その傾斜角をより大きな範囲で変更することが可能となる。
【００２９】
また、携帯時等にはフラップ部７を背面被覆部４の凹部４ｄ内に収納することができるので、カバー１を携帯する際にフラップ部７が邪魔になったり、フラップ部７を設けることによって意匠性が悪化したりすることを抑制することが可能となる。
【００３０】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施形態が備える各要素は、技術的に可能な限りにおいて組み合わせることができ、これらを組み合わせたものも本発明の特徴を含む限り本発明の範囲に包含される。
【００３１】
例えば、フラップ部７に設けられる上側片７１や下側片７２は、それぞれフラップ部７の上面側と下面側に複数設けてもよい。これにより、使用者は前面被覆部２の下端２ｂを固定する上側片７１又は下側片７２を、複数設けられたうちの一に対して選択的に固定することにより、背面被覆部４並びに携帯情報端末８の傾斜角を細かく調整することが可能となる。なお、上側片７１又は下側片７２を複数設ける際には、例えば、フラップ部７の長手方向に沿って複数の上側片７１又は複数の下側片７２を設ければよい。
【符号の説明】
【００３２】
１：携帯情報端末用カバー、２：前面被覆部、４：背面被覆部、４ａ：上端、４ｂ：下端、５：保持部、７：フラップ部、７１：上側片（第１の固定部）、７２：下側片（第２の固定部）、８：携帯情報端末、θ１、θ２：傾斜角
【図１】
2015050554.tif 000003
【図２】
2015050554.tif 000004
【図３】
2015050554.tif 000005
【図４】
2015050554.tif 000006
【図５】
2015050554.tif 000007
【図６】
2015050554.tif 000008
【図７】
2015050554.tif 000009
【図８】
2015050554.tif 000010
【図９】
2015050554.tif 000011